(57)【特許請求の範囲】
【請求項１】
金属コロイドの凝集を防止する方法であって、
無機イオンを含まず、かつ有機系であるトリスヒドロキシメチルアミノメタン，Ｎ−トリスヒドロキシメチル−２−アミノメタンスルホン酸，３−シクロヘキシルアミノプロパンスルホン酸，Ｎ−（２−ヒドロキシエチル）ピペラジン−Ｎ’−２−エタンスルホン酸のうち、１種または２種以上の組合せからなる緩衝液を用いることを特徴とする、金属コロイドの凝集を防止する方法。
【請求項２】
緩衝液の最終濃度が２０ｍＭである、特許請求の範囲第１項に記載の方法。
【発明の詳細な説明】
【０００１】
【発明の属する技術分野】
本発明は、主に臨床検査で用いられる金属コロイドの凝集を防止する方法に関する。
【０００２】
【従来の技術】
金コロイドといった金属コロイドは、臨床検査などで、検査対象物質を標識するために使用されたり、表面増強ラマン散乱の検出系で使用されている。
【０００３】
通常、金属コロイドは、その希薄な金属塩溶液から還元することによって製造される（化学的還元法）。還元剤の種類としては、アスコルビン酸，クエン酸，水素化ホウ素ナトリウム，および水素ガスが挙げられる。
【０００４】
これら化学的還元法で製造された金属コロイドは、その酸化金属アニオンの由来により、負に帯電した表面を持つ。こういった場合に金属コロイドが安定化するためには、静電的な機構が関与している（”ＣＯＬＬＯＩＤＡＬ  ＧＯＬＤ”（ＡＣＡＤＥＭＩＣ  ＰＲＥＳＳ，ＩＮＣ）を参照されたい）。この静電的な機構が破壊されることによって、金属コロイドどうしが集まり、凝集が起こる。
【０００５】
組織染色等の組織科学の分野で使用される金コロイド法がある。そこでは、金コロイドを分散させている溶媒の組成が静電的な機構を破壊し、コロイドを凝集させている。一般に、リン酸塩緩衝液，ホウ酸緩衝液，生理食塩水，ＥＤＴＡ塩緩衝液，酢酸塩緩衝液，グリシン−塩酸緩衝液が金コロイドの溶媒組成に使用されている。
【０００６】
また、表面増強ラマン散乱を生起するときにも、金属コロイドが使用される。この金属コロイドを分散させる溶媒は、ラマン活性のない緩衝液組成が用いられる（一例として、リン酸緩衝液）。しかし、これらの緩衝液組成中に金属コロイドを分散させると、先述の金コロイド法と同様に金属コロイドが凝集し、表面増強ラマン散乱が生起しなくなる。
【０００７】
したがって、表面増強ラマン散乱を生起するときには、コロイド溶液に安定剤を添加してコロイドの凝集を防止することが一般的に行われている。その安定剤として、天然由来の高分子（牛血清アルブミンや，γ−グロブリン等）や、合成高分子（ポリビニルアルコール，ポリビニルピロリドン等のゲル状物質や、Ｔｗｅｅｎ２０の様な界面活性剤等）がある。
【０００８】
【発明が解決しようとする課題】
上記のように、従来の緩衝液組成ではコロイドを安定に分散させてコロイドの凝集を防止するために、安定剤の添加作業が必須である。よって本発明の目的は、安定剤を必要とせずとも、コロイドの凝集を阻止しようとするものである。
【０００９】
【課題を解決するための手段】
上記課題を解決するためには、無機イオンを含まず、かつ有機系である緩衝液を用いることでよいことが判った。
【００１０】
【発明の実施の形態】
無機イオンを含まず、かつ有機系である緩衝液の例として、トリスヒドロキシメチルアミノメタン，Ｎ−トリスヒドロキシメチル−２−アミノメタンスルホン酸，３−シクロヘキシルアミノプロパンスルホン酸，Ｎ−（２−ヒドロキシエチル）ピペラジン−Ｎ’−２−エタンスルホン酸の緩衝液が挙げられ、これらを１種の単独で、または２種以上の組合せで使用する。
【００１１】
ただし、緩衝液の濃度が２０ｍＭを越えると緩衝液そのものに対して表面増強ラマン散乱が生起されてしまい、緩衝液の濃度は高い方が望ましいために、緩衝液の最終濃度は２０ｍＭである場合が、コロイドを安定に分散させてコロイドの凝集を防止するために最も好ましい。
【００１２】
本発明の優れている点は、コロイドの凝集を防止するだけでなく、この緩衝液を用いることで分散の安定効果が従来の「緩衝液と安定剤」組成と比較して優れている点である。
【００１３】
【実施例】
（実施例１）  金コロイドに対する凝集防止効果の確認
２５ｍＭリン酸塩緩衝液４０ｍｌに対して、安定剤である１０％ポリビニルピロリドン５ｍｌを添加した（緩衝液の最終濃度２０ｍＭ）ものと、安定剤の代わりに蒸留水５ｍｌを添加したものを調製した。それぞれに金コロイド溶液（粒径２０ｎｍ，ＯＤ２５０＝５．０，バイオセル社製）５ｍｌを添加し、４５０〜７００ｎｍでの吸収スペクトルを測定した。結果を図１中（Ａ）に示す。
一方、２５ｍＭトリスヒドロキシアミノメタン緩衝液４０ｍｌに対して、安定剤である１０％ポリビニルピロリドン５ｍｌを添加した（緩衝液の最終濃度２０ｍＭ）ものと、安定剤の代わりに蒸留水５ｍｌを添加したものを調製した。それぞれに金コロイド溶液（粒径２０ｎｍ，ＯＤ２５０＝５．０，バイオセル社製）５ｍｌを添加し、４５０〜７００ｎｍでの吸収スペクトルを測定した。結果を図１中（Ｂ）に示す。
図から、リン酸塩緩衝液では安定剤の有無でスペクトルは非常に変化するが、トリスヒドロキシアミノメタンを緩衝液として用いると、安定剤を添加せずともコロイド溶液の吸収スペクトルは減少しなかった。これはすなわち、金コロイドの凝集が起きていないことを示している。
【００１４】
（実施例２）  銀コロイドに対する凝集防止効果の確認
２５ｍＭリン酸塩緩衝液４０ｍｌに対して、安定剤である１０％ポリビニルピロリドン５ｍｌを添加した（緩衝液の最終濃度２０ｍＭ）ものと、安定剤の代わりに蒸留水５ｍｌを添加したものを調製した。それぞれに銀コロイド溶液（０．１Ｍ硝酸銀と０．２Ｍ水素化ホウ素ナトリウムとから作成した）５ｍｌを添加し、３００〜７００ｎｍでの吸収スペクトルを測定した。結果を図２中（Ａ）に示す。
一方、２５ｍＭトリスヒドロキシアミノメタン緩衝液４０ｍｌに対して、安定剤である１０％ポリビニルピロリドン５ｍｌを添加した（緩衝液の最終濃度２０ｍＭ）ものと、安定剤の代わりに蒸留水５ｍｌを添加したものを調製した。それぞれに銀コロイド溶液（０．１Ｍ硝酸銀と０．２Ｍ水素化ホウ素ナトリウムとから作成した）５ｍｌを添加し、３００〜７００ｎｍでの吸収スペクトルを測定した。結果を図２中（Ｂ）に示す。
図から、リン酸塩緩衝液では安定剤の有無でスペクトルは非常に変化するが、トリスヒドロキシアミノメタンを緩衝液として用いると、安定剤を添加せずともコロイド溶液の吸収スペクトルは減少しなかった。これはすなわち、銀コロイドの凝集が起きていないことを示している。
【００１５】
（実施例３）  金コロイドの凝集防止に対する安定性の確認
２５ｍＭＮ−トリスヒドロキシメチル−２−アミノメタンスルホン酸緩衝液４５ｍｌに、金コロイド溶液（粒径２０ｎｍ，ＯＤ２５０＝５．０，バイオセル社製）５ｍｌを添加（緩衝液の最終濃度２０ｍＭ）し、その５２０ｎｍにおける吸光度を経時的に測定した。
対照として、２５ｍＭリン酸塩緩衝液４５ｍｌに金コロイド溶液５ｍｌを添加して、その５２０ｎｍにおける吸光度も経時的に測定した。
その結果、リン酸塩緩衝液では吸光度が早期に減少し、凝集現象を示すが、Ｎ−トリスヒドロキシメチル−２−アミノメタンスルホン酸緩衝液では吸光度の変化は非常に緩やかで、凝集しにくいという結果を得た。結果を図３に示す。
【００１６】
（実施例４）  銀コロイドの凝集防止に対する安定性の確認
２５ｍＭＮ−トリスヒドロキシメチル−２−アミノメタンスルホン酸緩衝液４５ｍｌに、銀コロイド溶液（０．１Ｍ硝酸銀と０．２Ｍ水素化ホウ素ナトリウムとから作成した）５ｍｌを添加（緩衝液の最終濃度２０ｍＭ）し、その４９０ｎｍにおける吸光度を経時的に測定した。
対照として、２５ｍＭリン酸塩緩衝液４５ｍｌに銀コロイド溶液５ｍｌを添加して、その４９０ｎｍにおける吸光度も経時的に測定した。
その結果、リン酸塩緩衝液では吸光度が早期に減少し、凝集現象を示すが、Ｎ−トリスヒドロキシメチル−２−アミノメタンスルホン酸緩衝液では吸光度の変化は非常に緩やかで、凝集しにくいという結果を得た。結果を図４に示す。
【００１７】
【発明の効果】
詳述のように、本発明を用いると、安定剤の添加をすることなしに、金コロイド法及び表面増強ラマン散乱に用いられる金属コロイドを凝集させることはない。また、分散時の安定効果も優れている。
【００１８】
【図面の簡単な説明】
図１中（Ａ）は、リン酸塩緩衝液での金コロイドに対する吸収スペクトルである。
図１中（Ｂ）は、トリスヒドロキシアミノメタン緩衝液での金コロイドに対する吸収スペクトルである。
図２中（Ａ）は、リン酸塩緩衝液での銀コロイドに対する吸収スペクトルである。
図２中（Ｂ）は、トリスヒドロキシアミノメタン緩衝液での銀コロイドに対する吸収スペクトルである。
図３は、５２０ｎｍでの金コロイドの吸光度の経時変化である。
図４は、４９０ｎｍでの銀コロイドの吸光度の経時変化である。
【図１】
0003793786.tif 000002
【図２】
0003793786.tif 000003
【図３】
0003793786.tif 000004
【図４】
0003793786.tif 000005